(57)【特許請求の範囲】
【請求項１】
デュアルセルラーシステムアグリゲーションを扱う通信装置であって、
命令を記憶するための記憶装置であって、該命令は、
第１無線アクセス技術（ＲＡＴ）を介してネットワークに接続するステップと、
前記ネットワークに接続するとき、「第１ＲＡＴ−第２ＲＡＴ」結合アグリゲーション能力と、第１ＲＡＴ単独アグリゲーション能力及び第２ＲＡＴ単独アグリゲーション能力のうちの少なくも１つとを前記ネットワークに送信するステップと、
「第１ＲＡＴ−第２ＲＡＴ」結合アグリゲーションを構成する第２ＲＡＴ構成を前記ネットワークから受信するステップと、
前記第１ＲＡＴを介して前記ネットワークに接続しつつ、前記第２ＲＡＴ構成に従って第２ＲＡＴを介して前記ネットワークに接続するステップと、
前記第１ＲＡＴと前記第２ＲＡＴとの両方を介して前記ネットワークに接続した後、前記第１ＲＡＴを介して第１データを、前記第２ＲＡＴを介して第２データを受信するステップとを含む、記憶装置と、
前記記憶装置に結合され、前記記憶装置に記憶された命令を実行するように構成されている処理回路と、を含み、
前記第１ＲＡＴはＬＴＥ（ロングタームエボリューション）であり、前記第２ＲＡＴは５Ｇ（第５世代）であり、
前記「第１ＲＡＴ−第２ＲＡＴ」結合アグリゲーション能力は、前記通信装置によってサポートされる「第１ＲＡＴ−第２ＲＡＴ」結合アグリゲーション組み合わせを示し、前記「第１ＲＡＴ−第２ＲＡＴ」結合アグリゲーション組み合わせは、前記第１ＲＡＴの少なくとも１つの第１キャリアの第１の数と、前記第２ＲＡＴの少なくとも１つの第２キャリアの第２の数とのうちの少なくとも１つを示し、前記第１ＲＡＴ単独アグリゲーション能力は、前記通信装置によってサポートされる第１ＲＡＴ単独アグリゲーション組み合わせを示し、前記第１ＲＡＴ単独アグリゲーション組み合わせは、前記第１ＲＡＴの少なくとも１つの第３キャリアの第３の数を示し、
前記「第１ＲＡＴ−第２ＲＡＴ」結合アグリゲーション能力は、前記「第１ＲＡＴ−第２ＲＡＴ」結合アグリゲーション組み合わせにおける前記第２ＲＡＴのための少なくとも１つの第１ビームフォーミング能力を示す、通信装置。
【請求項２】
前記第２ＲＡＴ単独アグリゲーション能力は、前記通信装置によってサポートされる第２ＲＡＴ単独アグリゲーション組み合わせを示し、前記第２ＲＡＴ単独アグリゲーション組み合わせは、前記第２ＲＡＴの少なくとも１つの第４キャリアの第４の数を示すとともに、前記第２ＲＡＴの少なくとも１つの第４キャリアのための少なくとも１つの第４バンド及び少なくとも１つの第４バンド幅を示す、請求項１に記載の通信装置。
【請求項３】
前記第２ＲＡＴ単独アグリゲーション能力は、前記第２ＲＡＴ単独アグリゲーション組み合わせのための少なくとも１つの第２ビームフォーミング能力を示す、請求項２に記載の通信装置。
【請求項４】
デュアルセルラーシステムアグリゲーションを扱うためのネットワークであって、
命令を記憶するための記憶装置であって、該命令は、
第１無線アクセス技術（ＲＡＴ）を介して通信装置に接続するステップと、
前記通信装置に接続するとき、「第１ＲＡＴ−第２ＲＡＴ」結合アグリゲーション能力と、第１ＲＡＴ単独アグリゲーション能力及び第２ＲＡＴ単独アグリゲーション能力のうちの少なくも１つとを前記通信装置から受信するステップと、
前記「第１ＲＡＴ−第２ＲＡＴ」結合アグリゲーション能力に従って、「第１ＲＡＴ−第２ＲＡＴ」結合アグリゲーションを構成する第２ＲＡＴ構成を前記通信装置に送信するステップと、
前記第２ＲＡＴ構成の送信に応答して、第１ＲＡＴを介して前記通信装置に接続しつつ、第２ＲＡＴを介して前記通信装置に接続するステップと、
前記第１ＲＡＴと前記第２ＲＡＴとの両方を介して前記通信装置に接続した後、前記第１ＲＡＴを介して第１データを、前記第２ＲＡＴを介して第２データを前記通信装置に送信するステップとを含む、記憶装置と、
前記記憶装置に結合され、前記記憶装置に記憶された命令を実行するように構成されている処理回路と、を含み、
前記第１ＲＡＴはＬＴＥ（ロングタームエボリューション）であり、前記第２ＲＡＴは５Ｇ（第５世代）であり、
前記「第１ＲＡＴ−第２ＲＡＴ」結合アグリゲーション能力は、前記通信装置によってサポートされる「第１ＲＡＴ−第２ＲＡＴ」結合アグリゲーション組み合わせを示し、前記「第１ＲＡＴ−第２ＲＡＴ」結合アグリゲーション組み合わせは、前記第１ＲＡＴの少なくとも１つの第１キャリアの第１の数と、前記第２ＲＡＴの少なくとも１つの第２キャリアの第２の数とのうちの少なくとも１つを示し、第１ＲＡＴ単独アグリゲーション能力は、前記通信装置によってサポートされる第１ＲＡＴ単独アグリゲーション組み合わせを示し、前記第１ＲＡＴ単独アグリゲーション組み合わせは、前記第１ＲＡＴの少なくとも１つの第３キャリアの第３の数を示し、
前記「第１ＲＡＴ−第２ＲＡＴ」結合アグリゲーション能力は、前記「第１ＲＡＴ−第２ＲＡＴ」結合アグリゲーション組み合わせにおける前記第２ＲＡＴのための少なくとも１つの第１ビームフォーミング能力を示す、ネットワーク。
【請求項５】
前記通信装置に接続する命令は、
前記第２ＲＡＴ構成を送信した後、又は前記通信装置が第２ＲＡＴ構成を受信したことを確認するための確認を前記通信装置から受信した後に、前記第２ＲＡＴを介して前記通信装置に送信を行うステップを含む、請求項４に記載のネットワーク。
【請求項６】
前記送信は、前記通信装置にランダムアクセスプリアンブルを送信することを要求し、前記送信は前記通信装置にプロトコルデータユニット（ＰＤＵ）を送信することを要求し、前記送信は前記通信装置に時間リソース及び／又は周波数リソースを受信することを要求する、請求項４に記載のネットワーク。
【請求項７】
前記記憶装置の命令はさらに、
「第１ＲＡＴ−第２ＲＡＴ」結合アグリゲーション能力に従って、前記第１ＲＡＴを介して前記通信装置に「第１ＲＡＴ−第２ＲＡＴ」結合アグリゲーションを構成するための第１測定構成を送信するステップを含み、
前記第１測定構成は、前記第２ＲＡＴの第１測定キャリア及び第１測定報告イベントを示す、請求項４に記載のネットワーク。
【請求項８】
前記記憶装置の命令はさらに、
前記通信装置に「第１ＲＡＴ−第２ＲＡＴ」結合アグリゲーションを構成するための第２測定構成を送信するステップを含み、
前記第２測定構成は、前記第２ＲＡＴの第２測定キャリア及び第２測定報告イベントを示す、請求項４に記載のネットワーク。
【発明の詳細な説明】
【技術分野】
【０００１】
本発明は、無線通信システムで使用される装置及び方法に関連し、より詳細には、デュアルセルラーシステムアグリゲーションを扱う装置及び方法に関連する。
【背景技術】
【０００２】
キャリアアグリゲーション（ＣＡ）、デュアルコネクティビティ（ＤＣ）、ライセンスアシストアクセス等の高度な技術を使用することにより、ピークデータレート及びスループットを増加させるために、ロングタームエボリューション（ＬＴＥ）システムが継続的に進化している。
【０００３】
第５世代（５Ｇ）動作シナリオでは、ＵＥは、ＬＴＥ通信用の第１キャリアを介したｅＮＢへの接続と、５Ｇ通信用の第２キャリアを介した５Ｇ基地局への接続を同時に行うことがある。
【先行技術文献】
【非特許文献】
【０００４】
【非特許文献１】3GPP  TSG-RAN  WG2  #97bis    Tdoc  R2-1702680  [Spokane、USA、3rd-7th  April  2017]    Agenda  item:10.2.2.4    Title:UE  capability  coordination  for  LTE-NR  Dual  Connectivity
【発明の概要】
【０００５】
このため、本発明は、上述の問題を解決するため、デュアルセルラーシステムアグリゲーションを扱う通信装置を提供する。
【０００６】
デュアルセルラーシステムアグリゲーションを扱う通信装置であって、命令を記憶するための記憶装置と、記憶装置に結合されている処理回路とを含む。処理回路は、記憶装置に記憶された命令を実行するように構成されている。命令は、第１無線アクセス技術（ＲＡＴ）を介してネットワークに接続するステップと、ネットワークに接続するとき、「第１ＲＡＴ−第２ＲＡＴ」結合アグリゲーション能力と、第１ＲＡＴ単独アグリゲーション能力及び第２単独アグリゲーション能力のうちの少なくとも１つとをネットワークに送信するステップと、「第１ＲＡＴ−第２ＲＡＴ」結合アグリゲーションを構成する第２ＲＡＴ構成を前記ネットワークから受信するステップと、第１ＲＡＴを介して前記ネットワークに接続しつつ、前記第２ＲＡＴ構成に従って第２ＲＡＴを介してネットワークに接続するステップと、第１ＲＡＴと第２ＲＡＴとの両方を介してネットワークに接続した後、第１ＲＡＴを介して第１データを、第２ＲＡＴを介して第２データを受信するステップと、を含む。
【０００７】
デュアルセルラーシステムアグリゲーションを扱うためのネットワークであって、命令を記憶するための記憶装置と、記憶装置に結合されている処理回路とを含む。処理回路は記憶装置に記憶された命令を実行するように構成されている。命令は、第１無線アクセス技術（ＲＡＴ）を介して通信装置に接続するステップと、通信装置に接続するとき、「第１ＲＡＴ−第２ＲＡＴ」結合アグリゲーション能力と、第１ＲＡＴ単独アグリゲーション能力及び第２単独アグリゲーション能力のうちの少なくも１つとを通信装置から受信するステップと、「第１ＲＡＴ−第２ＲＡＴ」結合アグリゲーション能力を受信した後、「第１ＲＡＴ−第２ＲＡＴ」結合アグリゲーションを構成する第２ＲＡＴ構成を通信装置に送信するステップと、第２ＲＡＴ構成の送信に応答して、第１ＲＡＴを介して通信装置に接続しつつ、第２ＲＡＴを介して通信装置に接続するステップと、第１ＲＡＴと第２ＲＡＴとの両方を介して通信装置に接続した後、第１ＲＡＴを介して第１データを、第２ＲＡＴを介して第２データを通信装置に送信するステップと、を含む。
【０００８】
本発明のこれらの目的及び他の目的は、様々な図表及び図面に図示される、次の発明の実施するための好ましい形態を読むことにより、当業者には疑いなく明らかとなるだろう。
【図面の簡単な説明】
【０００９】
【図１】図１は、本発明の一例による無線通信システムの概略図である。
【図２】図２は、本発明の一例による通信装置の概略図である。
【図３】図３は、本発明の一例によるプロセスのフローチャートである。
【図４】図４は、本発明の一例によるＬＴＥ  ＣＡ／ＤＣバンド組み合わせ、５Ｇ  ＣＡ／ＤＣバンド組み合わせ及びＬＴＥ−５Ｇ  ＣＡ／ＤＣバンド組み合わせの表である。
【図５】図５は、本発明の一例によるＬＴＥ  ＣＡ／ＤＣバンド組み合わせ、５Ｇ  ＣＡ／ＤＣバンド組み合わせ及びＬＴＥ−５Ｇ  ＣＡ／ＤＣバンド組み合わせの表である。
【図６】図６は、本発明の一例によるＬＴＥ  ＣＡ／ＤＣバンド組み合わせ、５Ｇ  ＣＡ／ＤＣバンド組み合わせ及びＬＴＥ−５Ｇ  ＣＡ／ＤＣバンド組み合わせの表である。
【図７】図７は、本発明の一例によるＬＴＥ  ＣＡ／ＤＣバンド組み合わせ、５Ｇ  ＣＡ／ＤＣバンド組み合わせ及びＬＴＥ−５Ｇ  ＣＡ／ＤＣバンド組み合わせの表である。
【図８】図８は、本発明の一例によるプロセスのフローチャートである。
【発明を実施するための形態】
【００１０】
図１は、本発明の一例による無線通信システム１０の概略図である。無線通信システム１０は、概して、ネットワークと複数の通信装置とから構成されている。ネットワーク及び通信装置は、ライセンスされた及び／又はライセンスされていないバンドの１つ以上のキャリアを介して、互いに通信することができる。
【００１１】
図１において、ネットワーク及び通信装置は、無線通信システム１０の構造を示すのに簡潔に利用される。ネットワークは、少なくとも１つのエボルブドノードＢ（ｅＮＢ）を含むエボルブドユニバーサル地上無線アクセスネットワーク（Ｅ−ＵＴＲＡＮ）を含むことができる。ネットワークは、直交周波数分割多重（ＯＦＤＭ）及び／又は非ＯＦＤＭ（例えば、フィルターＯＦＤＭ（Ｆ−ＯＦＤＭ:filtered-OFDM）、一般化周波数分割多重（ＧＦＤＭ：Generalized  Frequency  Division  Multiplexing）、ユニバーサルフィルターマルチキャリア（ＵＦＭＣ：Universal  Filtered  Multi-Carrier）又はフィルターバックマルチキャリア（ＦＢＭＣ：Filter  Back  Multi-Carrier））と、１ｍｓより短い送信時間間隔（ＴＴＩ）（例えば、１００又は２００マイクロ秒）と、を採用する少なくとも１つの第５世代（５Ｇ）  ＢＳを含む５Ｇ無線アクセスネットワークを含む。一般に、ＢＳは、ｅＮＢ及び５Ｇ  ＢＳのいずれかを示すために使用されることもできる。ネットワークは、ＢＳに接続するコアネットワークを含むことができる。
【００１２】
通信装置は、ユーザ機器（ＵＥ）、マシンタイプコミュニケーション（ＭＴＣ：Machine  Type  Communication）デバイス、携帯電話、ラップトップ、タブレットコンピュータ、電子書籍、ポータブルコンピュータシステム、車両、又は航空機とすることができる。さらに、ネットワーク及び通信装置は、方向（すなわち、送信方向）に従って、送信機又は受信機と見なされることができる。例えば、アップリンク（ＵＬ）の場合、通信装置が送信機でネットワークが受信機であり、ダウンリンク（ＤＬ）の場合、ネットワークが送信機であり通信装置が受信機である。
【００１３】
第３世代パートナーシッププロジェクト（３ＧＰＰ）は、５Ｇ（又は、新しい無線、ＮＲと呼ばれる）通信について議論している。５Ｇ通信は、ＬＴＥと同様にキャリアアグリゲーション（ＣＡ）及び／又はデュアルコネクティビティ（ＤＣ）をサポートする。５Ｇ  ＵＥは、その５Ｇ  ＣＡ能力（CA  capability）及び／又は５Ｇ  ＤＣ能力（DC  capability）を５Ｇ  ＢＳに示すことができる。ＬＴＥ  ＵＥは、そのＬＴＥ  ＣＡ能力及び／又はＤＣ能力をｅＮＢに示すことができる。ＣＡ能力及び／又はＤＣ能力は、アグリゲートされるキャリアの数がＵＥによってサポートされることを示す。
【００１４】
ＬＴＥ及び５Ｇインターワーキングシナリオ（すなわち、デュアルセルラーシステムアグリゲーション）において、ＵＥは、ＬＴＥ通信用の第１キャリアを介したＬＴＥ  ｅＮＢへの接続と、５Ｇ通信用の第２キャリアを介した５Ｇ  ＢＳへの接続を同時に行うことができる。別のＬＴＥ及び５Ｇインターワーキングシナリオでは、ＵＥは、ＬＴＥ通信用の第１キャリア及び５Ｇ通信用の第２キャリア（例えば、イントラ−ＢＳ  ＣＡ）を介して、ＬＴＥ及び５Ｇ通信の両方が可能なＢＳに同時に接続することができる。第１キャリア及び第２キャリアのそれぞれは、ライセンスされたスペクトル又はライセンスされていないスペクトルに属することができる。しかし、ＵＥがＬＴＥ  ｅＮＢ及び／又は５Ｇ  ＢＳと接続する能力をどのように示すことができるかは依然として未知である。したがって、デュアルセルラーシステムアグリゲーションを処理することは、解決すべき重要な問題である。
【００１５】
例えば、ＵＥは、そのＬＴＥ  ＣＡ／ＤＣ（すなわち、ＣＡ又はＤＣ）能力で最大４つのダウンリンク（ＤＬ）ＬＴＥコンポーネントキャリア（ＣＣ）のアグリゲーションが可能であり、  その５Ｇ  ＣＡ／ＤＣ能力で最大４つのＤＬ  ５Ｇ  ＣＣが可能であることをＢＳに示す。ＢＳは、ＵＥがＬＴＥ−５Ｇ  ＣＡ又はＤＣにおいて、４つのＤＬ  ＬＴＥ  ＣＣ及び４つのＤＬ  ５Ｇ  ＣＣのアグリゲーションをサポートすると考えることができるが、ＵＥがこのアグリゲーションを実行できない可能性がある。
【００１６】
図２は、本発明の例による通信装置２０の概略図である。通信装置２０は、図１に示す通信装置又はネットワークとすることができるが、これに限定されない。通信装置２０は、マイクロプロセッサ、特定用途向け集積回路（ＡＳＩＣ）等の処理回路２００、記憶装置２１０及び通信インタフェース装置２２０を含むことができる。記憶装置２１０は、処理回路２００によりアクセスされ、実行されるプログラムコード２１４を記憶することができる任意のデータ記憶装置とすることができる。記憶装置２１０の例は、非限定的に、加入者識別モジュール（ＳＩＭ）、読み出し専用メモリ（ＲＯＭ）、フラッシュメモリ、ランダムアクセスメモリ（ＲＡＭ）、ハードディスク、光学データ記憶装置、不揮発性記憶装置、非一時的コンピュータ読み取り可能媒体（例えば、有形媒体）等を含む。通信インタフェース装置２２０は、好ましくは、トランシーバであり、処理回路２００の処理結果に従って、信号（例えば、データ、メッセージ及び／又はパケット）を送受信するために使用される。
【００１７】
以下の実施形態では、実施形態の図示を簡潔にするために、図１の通信装置を表すためにＵＥを使用する。
【００１８】
図３は、本発明の例によるプロセス３０のフローチャートである。プロセス３０は、デュアルセルラーシステムアグリゲーションを扱うために、ＵＥにおいて利用されることができる。プロセス３０は、以下のステップを含む。
【００１９】
ステップ３００：開始する。
【００２０】
ステップ３０２：第１ＲＡＴを介してネットワークに接続する。
【００２１】
ステップ３０４：ネットワークに接続するときに、「第１ＲＡＴ−第２ＲＡＴ（First  RAT-Second  RAT）」結合（joint）アグリゲーション能力と、第１ＲＡＴ単独（First  RAT  sole）アグリゲーション能力及び第２ＲＡＴ単独（Second  RAT  sole）アグリゲーション能力のうちの少なくとも１つとをネットワークに送信する。
【００２２】
ステップ３０６：ネットワークから「第１ＲＡＴ−第２ＲＡＴ」結合アグリゲーションを構成する第２ＲＡＴ構成を受信する。
【００２３】
ステップ３０８：第１ＲＡＴを介してネットワークに接続しつつ（while）、第２ＲＡＴ構成に従って第２ＲＡＴを介してネットワークに接続する。
【００２４】
ステップ３１０：第１ＲＡＴ及び第２ＲＡＴの両方を介してネットワークに接続した後、第１ＲＡＴを介して第１データを、及び第２ＲＡＴを介して第２データを受信する。
【００２５】
ステップ３１２：終了する。
【００２６】
プロセス３０によれば、ＵＥは、第１ＲＡＴを介してネットワーク（例えば、ネットワークの第１ＢＳ）に接続する。ＵＥがネットワークに接続すると、ＵＥは、「第１ＲＡＴ−第２ＲＡＴ」結合アグリゲーション能力と、第１ＲＡＴ単独アグリゲーション能力及び第２ＲＡＴ単独アグリゲーション能力のうちの少なくとも１つとをネットワークに送信する。次いで、ＵＥは、ネットワークから「第１ＲＡＴ−第２ＲＡＴ」結合アグリゲーションを構成する第２ＲＡＴ構成を受信する。ＵＥは、第１ＲＡＴを介してネットワークに接続しつつ、第２ＲＡＴ構成に従って第２ＲＡＴ（例えば、ネットワークの第２ＢＳ）を介してネットワークに接続する。ＵＥは、第１ＲＡＴ及び第２ＲＡＴの両方を介してネットワークに接続した後（すなわち、接続したとき、又は接続している間に）、第１ＲＡＴを介して（例えば、第１ＢＳから）第１データを、及び第２ＲＡＴを介して（例えば、第２ＢＳから）第２データを受信する。言い換えると、ＵＥは、アグリゲーション能力がネットワークに示されているので、第１ＲＡＴを介した第１データの受信と、第２ＲＡＴを介した第２データの受信を同時に行うことができる。
【００２７】
プロセス３０の実現は、上記の説明に限定されない。以下の例は、プロセス３０に適用されることができる。
【００２８】
一例では、第１ＢＳと第２ＢＳは異なるＢＳである。ＵＥは、第１ＲＡＴ単独アグリゲーション能力及び第２ＲＡＴ単独アグリゲーション能力のうちの１つ又は両方を送信することができる。一例では、ＵＥが第１ＲＡＴでのアグリゲーションをサポートするが、第２ＲＡＴでのアグリゲーションをサポートしない場合、ＵＥは第１ＲＡＴ単独アグリゲーション能力を送信するが、第２ＲＡＴ単独アグリゲーション能力は送信しない。
【００２９】
一例では、「第１ＲＡＴ−第２ＲＡＴ」結合アグリゲーション能力は、ＵＥによってサポートされる「第１ＲＡＴ−第２ＲＡＴ」結合アグリゲーション組み合わせを示すことができる。「第１ＲＡＴ−第２ＲＡＴ」結合アグリゲーション組み合わせは、「第１ＲＡＴ−第２ＲＡＴ」結合アグリゲーションの場合にＵＥが送受信を同時に行うことができる、第１ＲＡＴの第１キャリアの第１の数及び第２ＲＡＴの第２キャリアの第２の数を示すことができる。一例では、第１ＲＡＴ単独アグリゲーション能力は、ＵＥによってサポートされる第１ＲＡＴ単独アグリゲーション組み合わせを示す。第１ＲＡＴ単独アグリゲーション組み合わせは、第１ＲＡＴ単独アグリゲーションの場合にＵＥが送受信を同時に行うことができる第１ＲＡＴの第３キャリアの第３の数を示す。一例では、第２ＲＡＴ単独アグリゲーション能力は、ＵＥによってサポートされる第２ＲＡＴ単独アグリゲーション組み合わせを示す。第２ＲＡＴ単独アグリゲーション組み合わせは、第２ＲＡＴ単独アグリゲーションの場合にＵＥが送受信を同時に行うことができる第２ＲＡＴの第４キャリアの第４の数を示す。このように、ＵＥは、第１ＲＡＴ単独アグリゲーション能力及び第２ＲＡＴ単独アグリゲーション能力の他に、「第１ＲＡＴ−第２ＲＡＴ」結合アグリゲーション能力を柔軟に示すことができる。「キャリア」は、少なくとも１つのキャリアを意味する。
【００３０】
第１キャリア及び第３キャリアは、同じキャリアを有することができる。第２キャリア及び第４キャリアは、同じキャリアを有することができる。一例では、第１の数は第３の数以下であり、第２の数は第４の数以下である。例えば、第１の数は第３の数より少なく、第２の数は第４の数よりも小さい。なぜなら、ＵＥ内の少なくとも１つのコンポーネント（例えば、無線周波数（ＲＦ）トランシーバ）がＬＴＥ通信及び５Ｇ通信に共有されるためである。一例では、第１の数と第２の数の和は、第３の数と第４の数の和以下とすることができる。例えば、第１の数と第２の数との和は、第３の数と第４の数との和よりも小さい。なぜなら、ＵＥ内の少なくとも１つのコンポーネント（例えば、ＲＦトランシーバ）がＬＴＥ通信及び５Ｇ通信に共有されるためである。
【００３１】
一例では、「第１ＲＡＴ−第２ＲＡＴ」結合アグリゲーション組み合わせは、第１ＲＡＴの第１キャリアのための第１バンド及び第１バンド幅を示し、第２ＲＡＴの第２キャリアのための第２バンド及び第２バンド幅を示す。第１ＲＡＴ単独アグリゲーション組み合わせは、第１ＲＡＴの第３キャリアのための第３バンド及び第３バンド幅を示すことができる。第２ＲＡＴ単独アグリゲーション組み合わせは、第２ＲＡＴの第４キャリアのための第４バンド及び第４バンド幅を示すことができる。一例では、ＵＥは、第１ＲＡＴ単独アグリゲーション組み合わせ又は第２ＲＡＴ単独アグリゲーション組み合わせにおけるバンド内のコンポーネントキャリア（ＣＣ）の第１最大バンド幅を示し、「第１ＲＡＴ−第２ＲＡＴ」結合アグリゲーション組み合わせにおけるバンド内のＣＣの第２最大バンド幅を示す。第１最大バンド幅は、第２最大バンド幅以上とすることができる。「バンド」は、少なくとも１つのバンドを意味する。「バンド幅」は、少なくとも１つのバンド幅を意味する。
【００３２】
一例では、「第１ＲＡＴ−第２ＲＡＴ」結合アグリゲーション能力は、「第１ＲＡＴ−第２ＲＡＴ」結合アグリゲーション組み合わせのための多入力多出力（ＭＩＭＯ）層の第１の最大数を示す。第１ＲＡＴ単独アグリゲーション能力は、第１ＲＡＴ単独アグリゲーション組み合わせのための（例えば、第１ＲＡＴの第３キャリアのための）ＭＩＭＯ層の第２の最大数を示すことができる。第２ＲＡＴ単独アグリゲーション能力は、第２ＲＡＴ単独アグリゲーション組み合わせのための（例えば、第２ＲＡＴの第４キャリアのための）ＭＩＭＯ層の第３の最大数を示すことができる。第１の最大数は、第２の最大数、第３の最大数又は、第２の最大数と第３の最大数うちの最小値以下とすることができる。
【００３３】
一例では、「第１ＲＡＴ−第２ＲＡＴ」結合アグリゲーション能力は、「第１ＲＡＴ−第２ＲＡＴ」結合アグリゲーション組み合わせにおける第１ＲＡＴのための（例えば、第１ＲＡＴの第１キャリアのための）ＭＩＭＯ層の第４の最大数を示し、「第１ＲＡＴ−第２ＲＡＴ結合」アグリゲーション組み合わせにおける第２ＲＡＴのための（例えば、第２ＲＡＴの第２キャリアのための）ＭＩＭＯ層の第５の最大数を示す。第４の最大数は、第２の最大数以下とすることができ、第５の最大数は、第３の最大数以下とすることができる。
【００３４】
一例では、ネットワークは、上述したように、対応するＭＩＭＯ層の最大数に従って、「第１ＲＡＴ−第２ＲＡＴ」結合アグリゲーション、第１ＲＡＴ単独アグリゲーション又は第２ＲＡＴ単独アグリゲーションのためのＭＩＭＯ動作を構成することができる。
【００３５】
一例では、「第１ＲＡＴ−第２ＲＡＴ」結合アグリゲーション能力は、「第１ＲＡＴ−第２ＲＡＴ」結合アグリゲーション組み合わせにおける第２ＲＡＴのための（例えば、第２ＲＡＴの第２キャリアのための）少なくとも１つの第１ビームフォーミング能力（beamforming  capability）を示す。第２ＲＡＴ単独アグリゲーション能力は、第２ＲＡＴ単独アグリゲーション組み合わせのための（例えば、第２ＲＡＴの第４キャリアのための）少なくとも１つの第２ビームフォーミング能力を示すことができる。第１ＲＡＴ単独アグリゲーション能力は、（例えば、第１ＲＡＴの第３キャリアのための）少なくとも１つの第３ビームフォーミング能力を示しても、示さなくてもよい。ネットワークが「第１ＲＡＴ−第２ＲＡＴ」結合アグリゲーション組み合わせに従って「第１ＲＡＴ−第２ＲＡＴ」結合アグリゲーションを構成するとき、ネットワークは、少なくとも１つの第１ビームフォーミング能力に従って第１ビームフォーミング動作を構成することができる。ネットワークが第２ＲＡＴ単独アグリゲーション組み合わせに従って第２ＲＡＴ単独アグリゲーションを構成するとき、ネットワークは、少なくとも１つの第２ビームフォーミング能力に従って第２ビームフォーミング動作を構成することができる。少なくとも１つの第１ビームフォーミング能力は、少なくとも１つの第２ビームフォーミング能力と同じであっても、異なっていてもよい。
【００３６】
一例では、第１ＲＡＴはＬＴＥであり、第２ＲＡＴは５Ｇである。第１ＲＡＴ単独アグリゲーション能力は、ＬＴＥ  ＣＡ又はＤＣ（ＣＡ／ＤＣ）能力とすることができ、第１ＲＡＴ単独アグリゲーション組み合わせは、ＬＴＥ  ＣＡ／ＤＣバンド組み合わせとすることができる。第２ＲＡＴ単独アグリゲーション能力は、５Ｇ  ＣＡ／ＤＣ能力とすることができ、第２ＲＡＴ単独アグリゲーション組み合わせは、５Ｇ  ＣＡ／ＤＣバンド組み合わせとすることができる。「第１ＲＡＴ−第２ＲＡＴ」結合アグリゲーション能力は、ＬＴＥ−５Ｇ結合ＣＡ／ＤＣ能力とすることができ、「第１ＲＡＴ−第２ＲＡＴ」結合アグリゲーション組み合わせは、ＬＴＥ−５Ｇ  ＣＡ／ＤＣバンド組み合わせとすることができる。一例では、第１ＲＡＴは５Ｇであり、第２ＲＡＴはＬＴＥである。第１ＲＡＴ単独アグリゲーション能力は、５Ｇ  ＣＡ／ＤＣ能力とすることができ、第１ＲＡＴ単独アグリゲーション組み合わせは、５Ｇ  ＣＡ／ＤＣバンド組み合わせとすることができる。第２ＲＡＴ単独アグリゲーション能力は、ＬＴＥ  ＣＡ／ＤＣ能力とすることができ、第２ＲＡＴ単独アグリゲーション組み合わせは、ＬＴＥ  ＣＡ／ＤＣバンド組み合わせとすることができる。「第１ＲＡＴ−第２ＲＡＴ」結合アグリゲーション能力は、５Ｇ−ＬＴＥ結合ＣＡ／ＤＣ能力であり、「第１ＲＡＴ−第２ＲＡＴ」結合アグリゲーション組み合わせは、５Ｇ−ＬＴＥ  ＣＡ／ＤＣバンド組み合わせとすることができる。ＬＴＥ−５Ｇ結合ＣＡ／ＤＣ能力は、５Ｇ−ＬＴＥ結合ＣＡ／ＤＣ能力と同じであっても、異なっていてもよい。ＬＴＥ  ＣＣは、１．４、３、５、１０、１５又は２０ＭＨｚのバンド幅を有することができる。５Ｇ  ＣＣは、ＬＴＥ  ＣＣのバンド幅と同じバンド幅、又はＬＴＥ  ＣＣのバンド幅と異なるバンド幅を有することができる。一例では、５Ｇ  ＣＣは、４０、６０、８０又は１００ＭＨｚのバンド幅を有することができる。
【００３７】
一例では、第１ＲＡＴは高速パケットアクセス（ＨＳＰＡ）であり、第２ＲＡＴはＬＴＥである。第１ＲＡＴ単独アグリゲーション能力はＨＳＰＡ  ＣＡ能力であり、第１ＲＡＴ単独アグリゲーション組み合わせは、デュアルセル高速ダウンリンクパケットアクセス（ＨＳＤＰＡ）、３キャリア（３Ｃ）ＨＳＤＰＡ、４キャリア（４Ｃ）ＨＳＤＰＡ又は８キャリアＨＳＤＰＡのサポートを示すＨＳＤＰＡ  ＣＡ組み合わせとすることができる。第２ＲＡＴ単独アグリゲーション能力は、ＬＴＥ  ＣＡ／ＤＣ能力とすることができ、第２ＲＡＴ単独アグリゲーション組み合わせは、ＬＴＥ  ＣＡ／ＤＣバンド組み合わせとすることができる。「第１ＲＡＴ−第２ＲＡＴ」結合アグリゲーション能力は、ＨＳＰＡ−ＬＴＥ  ＣＡ／ＤＣ能力とすることができ、「第１ＲＡＴ−第２ＲＡＴ」結合アグリゲーション組み合わせは、ＨＳＰＡ−ＬＴＥ  ＣＡ／ＤＣバンド組み合わせとすることができる。一例では、第１ＲＡＴはＬＴＥとすることができ、第２ＲＡＴはＨＳＰＡとすることができる。第１ＲＡＴ単独アグリゲーション能力は、ＬＴＥ  ＣＡ／ＤＣ能力とすることができ、第１ＲＡＴ単独アグリゲーション組み合わせは、ＬＴＥ  ＣＡ／ＤＣバンド組み合わせとすることができる。第２ＲＡＴ単独アグリゲーション能力は、ＨＳＰＡ  ＣＡ能力とすることができ、第２ＲＡＴ単独アグリゲーション組み合わせは、ＨＳＰＡ  ＣＡ組み合わせとすることができる。「第１ＲＡＴ−第２ＲＡＴ」結合アグリゲーション能力は、ＬＴＥ−ＨＳＰＡ  ＣＡ／ＤＣ能力とすることができ、「第１ＲＡＴ−第２ＲＡＴ」結合アグリゲーション組み合わせは、ＬＴＥ−ＨＳＰＡ  ＣＡ／ＤＣバンド組み合わせとすることができる。ＨＳＰＡキャリアバンド幅は５ＭＨｚとすることができる。
【００３８】
図４は、本発明の例による、ＬＴＥ  ＣＡ／ＤＣバンド組み合わせ、５Ｇ  ＣＡ／ＤＣバンド組み合わせ及びＬＴＥ−５Ｇ  ＣＡ／ＤＣバンド組み合わせのテーブル４０である。ＵＥは、ＬＴＥ  ＣＡ／ＤＣにおいて最大４つのＬＴＥ  ＣＣをサポートする。例えば、ＬＴＥ  ＣＡ／ＤＣバンド組み合わせＣＡ＿１Ｂ＿７Ａ＿２８Ａ及びＤＣ＿１Ｂ＿７Ａ＿２８Ａは、ＬＴＥ  ＣＡ及びＬＴＥ  ＤＣが、３つのバンド（バンド１、バンド７及びバンド２８）に割り当てられる４つのＬＴＥ  ＣＣ（「Ａ」は２０ＭＨｚのバンド幅、すなわち、１つのＬＴＥ  ＣＣを示し、「Ｂ」は４０ＭＨｚのバンド幅、すなわち、２つのＬＴＥ  ＣＣを示す）を含むことを示す。ＵＥは５Ｇ  ＣＡ／ＤＣをサポートしていない。ＵＥは、ＬＴＥ−５Ｇ結合ＣＡ／ＤＣにおいて、最大２つのＬＴＥ  ＣＣと最大１つの５Ｇ  ＣＣをサポートする。例えば、ＬＴＥ−５Ｇ  ＣＡ／ＤＣバンド組み合わせＣＡ＿ＬＴＥ＿７Ａ＿２８Ａ＿５Ｇ＿１Ｊ及びＤＣ＿ＬＴＥ＿７Ａ＿２８Ａ＿５Ｇ＿１Ｊは、ＬＴＥ−５Ｇ  ＣＡ及びＬＴＥ−５Ｇ  ＤＣが、２つのバンド（バンド７及びバンド２８）に割り当てられる２つのＬＴＥ  ＣＣ（「Ａ」は２０ＭＨｚのバンド幅、すなわち、１つのＬＴＥ  ＣＣを示す）及び１つのバンド（バンド１）に割り当てられる１つの５Ｇ  ＣＣ（「Ｊ」は４０ＭＨｚのバンド幅、すなわち、１つの５Ｇ  ＣＣを示す）含むことを示す。従って、ＬＴＥ  ＣＡ／ＤＣ能力は４つのＬＴＥ  ＣＣを示し、ＬＴＥ−５Ｇ  ＣＡ／ＤＣ能力は２つのＬＴＥ  ＣＣ及び１つの５Ｇ  ＣＣを示す。要するに、ＬＴＥ  ＣＡ／ＤＣ能力はＬＴＥ  ＣＡ／ＤＣバンド組み合わせを示し、ＬＴＥ−５Ｇ  ＣＡ／ＤＣ能力はＬＴＥ−５Ｇ  ＣＡ／ＤＣバンド組み合わせを示す。
【００３９】
図５は、本発明の例による、ＬＴＥ  ＣＡ／ＤＣバンド組み合わせ、５Ｇ  ＣＡ／ＤＣバンド組み合わせ及びＬＴＥ−５Ｇ  ＣＡ／ＤＣバンド組み合わせのテーブル５０である。ＵＥは、ＬＴＥ  ＣＡ／ＤＣにおいて最大４つのＬＴＥ  ＣＣをサポートする。例えば、ＬＴＥ  ＣＡ／ＤＣバンド組み合わせＣＡ＿１Ａ＿３Ａ＿７Ａ＿２８Ａ及びＤＣ＿１Ａ＿３Ａ＿７Ａ＿２８Ａは、ＬＴＥ  ＣＡ及びＬＴＥ  ＤＣが、４つのバンド（バンド１、バンド３、バンド７及びバンド２８）に割り当てられる４つのＬＴＥ  ＣＣ（「Ａ」は２０ＭＨｚのバンド幅、すなわち、１つのＬＴＥ  ＣＣを示す）を含むことを示す。ＵＥは、５Ｇ  ＣＡ／ＤＣにおいて最大２つの５Ｇ  ＣＣをサポートする。例えば、５Ｇ  ＣＡ／ＤＣ組み合わせＣＡ＿９３Ｋ＿１００Ｋ及びＤＣ＿９３Ｋ＿１００Ｋは、５Ｇ  ＣＡ及び５Ｇ  ＤＣが、２つのバンド（バンド９３及びバンド１００）に割り当てられる２つの５Ｇ  ＣＣ（「Ｋ」は１００ＭＨｚのバンド幅、すなわち、１つの５Ｇ  ＣＣを示す）を含むことを示す。ＵＥは、５Ｇ−ＬＴＥ結合ＣＡ／ＤＣにおいて最大４つのＬＴＥ  ＣＣと最大１つの５Ｇ  ＣＣをサポートする。例えば、ＬＴＥ−５Ｇ  ＣＡ／ＤＣバンド組み合わせＣＡ＿ＬＴＥ＿１Ａ＿３Ａ＿７Ａ＿２８Ａ＿５Ｇ＿１００Ｋ及びＤＣ＿ＬＴＥ＿１Ａ＿３Ａ＿７Ａ＿２８Ａ＿５Ｇ＿１００Ｋは、ＬＴＥ−５Ｇ  ＣＡ及びＬＴＥ−５Ｇ  ＤＣが、４つのバンド（バンド１、バンド３、バンド７及びバンド２８）に割り当てられる４つのＬＴＥ  ＣＣ（「Ａ」は２０ＭＨｚのバンド幅、すなわち、１つのＬＴＥ  ＣＣを示す）及び１つのバンド（バンド１００）における１つの５Ｇ  ＣＣ（「Ｋ」は１００ＭＨｚのバンド幅、すなわち、１つの５Ｇ  ＣＣを示す）を含むことを示す。従って、ＬＴＥ  ＣＡ／ＤＣ能力は４つのＬＴＥ  ＣＣを示し、５Ｇ  ＣＡ／ＤＣ能力は２つの５Ｇ  ＣＣを示し、ＬＴＥ−５Ｇ  ＣＡ／ＤＣ能力は４つのＬＴＥ  ＣＣ及び１つの５Ｇ  ＣＣを示す。要するに、ＬＴＥ  ＣＡ／ＤＣ能力はＬＴＥ  ＣＡ／ＤＣバンド組み合わせを示し、５Ｇ  ＣＡ／ＤＣ能力は５Ｇ  ＣＡ／ＤＣバンド組み合わせを示し、ＬＴＥ−５Ｇ  ＣＡ／ＤＣ能力はＬＴＥ−５Ｇ  ＣＡ／ＤＣバンド組み合わせを示す。
【００４０】
図６は、本発明の例による、ＬＴＥ  ＣＡ／ＤＣバンド組み合わせ、５Ｇ  ＣＡ／ＤＣバンド組み合わせ及びＬＴＥ−５Ｇ  ＣＡ／ＤＣバンド組み合わせのテーブル６０である。ＵＥは、ＬＴＥ  ＣＡ／ＤＣにおいて最大１０のＬＴＥ  ＣＣをサポートする。例えば、ＬＴＥ  ＣＡ／ＤＣバンド組み合わせＣＡ＿１Ｅ＿２８Ｅ及びＤＣ＿１Ｅ＿２８Ｅは、ＬＴＥ  ＣＡ及びＬＴＥ  ＤＣが、２つのバンド（バンド１及びバンド２８）に割り当てられる１０のＬＴＥ  ＣＣ（「Ｅ」は１００ＭＨｚのバンド幅、すなわち、５つのＬＴＥ  ＣＣを示す）を含むことを示す。ＵＥは、５Ｇ  ＣＡ／ＤＣにおいて最大２つの５Ｇ  ＣＣをサポートする。例えば、５Ｇ  ＣＡ／ＤＣ組み合わせＣＡ＿９３Ｋ＿１００Ｋ及びＤＣ＿９３Ｋ＿１００Ｋは、５Ｇ  ＣＡ及び５Ｇ  ＤＣが、２つのバンド（バンド９３及びバンド１００）に割り当てられる２つの５Ｇ  ＣＣ（「Ｋ」は１００ＭＨｚのバンド幅、すなわち、１つの５Ｇ  ＣＣを示す）を含むことを示す。ＵＥは、５Ｇ−ＬＴＥ結合ＣＡ／ＤＣにおいて最大５つのＬＴＥ  ＣＣと最大１つの５Ｇ  ＣＣをサポートする。例えば、ＬＴＥ−５Ｇ  ＣＡ／ＤＣバンド組み合わせＣＡ＿ＬＴＥ＿１Ｅ＿５Ｇ＿１００Ｋ及びＤＣ＿ＬＴＥ＿１Ｅ＿５Ｇ＿１００Ｋは、ＬＴＥ−５Ｇ  ＣＡ及びＬＴＥ−５Ｇ  ＤＣが、１つのバンド（バンド１）に割り当てられる５つのＬＴＥ  ＣＣ及び１つのバンド（バンド１００）に割り当てられる１つの５Ｇ  ＣＣを含むことを示す。従って、ＬＴＥ  ＣＡ／ＤＣ能力は１０のＬＴＥ  ＣＣを示し、５Ｇ  ＣＡ／ＤＣ能力は２つの５Ｇ  ＣＣを示し、ＬＴＥ−５Ｇ  ＣＡ／ＤＣ能力は５つのＬＴＥ  ＣＣ及び１つの５Ｇ  ＣＣを示す。要するに、ＬＴＥ  ＣＡ／ＤＣ能力はＬＴＥ  ＣＡ／ＤＣバンド組み合わせを示し、５Ｇ  ＣＡ／ＤＣ能力は５Ｇ  ＣＡ／ＤＣバンド組み合わせを示し、ＬＴＥ−５Ｇ  ＣＡ／ＤＣ能力はＬＴＥ−５Ｇ  ＣＡ／ＤＣをバンド組み合わせを示す。
【００４１】
図７は、本発明の例による、ＬＴＥ  ＣＡ／ＤＣバンド組み合わせ、５Ｇ  ＣＡ／ＤＣバンド組み合わせ及びＬＴＥ−５Ｇ  ＣＡ／ＤＣバンド組み合わせのテーブル７０である。ＵＥは、ＬＴＥ  ＣＡ／ＤＣにおいて最大１０のＬＴＥ  ＣＣをサポートする。例えば、ＬＴＥ  ＣＡ／ＤＣバンド組み合わせＣＡ＿１Ｅ＿２８Ｅ及びＤＣ＿１Ｅ＿２８Ｅは、ＬＴＥ  ＣＡ及びＬＴＥ  ＤＣが、２つのバンド（バンド１及びバンド２８）に割り当てられる１０のＬＴＥ  ＣＣ（「Ｅ」は１００ＭＨｚのバンド幅、すなわち、５つのＬＴＥ  ＣＣを示す）を含むことを示す。ＵＥは、５Ｇ  ＣＡ／ＤＣにおいて最大１０の５Ｇ  ＣＣをサポートする。例えば、５Ｇ  ＣＡ／ＤＣ組み合わせＣＡ＿１Ｅ＿２８Ｅ及びＤＣ＿１Ｅ＿２８Ｅは、５Ｇ  ＣＡ及び５Ｇ  ＤＣが、２つのバンド（バンド１及びバンド２８）に割り当てられる５つの５Ｇ  ＣＣ（「Ｅ」は１００ＭＨｚのバンド幅、すなわち、５つの５Ｇ  ＣＣを含む）を含むことを示す。ＵＥは、５Ｇ−ＬＴＥ結合ＣＡ／ＤＣにおいて最大５つのＬＴＥ  ＣＣと最大５つの５Ｇ  ＣＣをサポートする。例えば、ＬＴＥ−５Ｇ  ＣＡ／ＤＣバンド組み合わせＣＡ＿ＬＴＥ＿２８Ｅ＿５Ｇ＿１Ｅ及びＤＣ＿  ＬＴＥ＿２８Ｅ＿５Ｇ＿１Ｅは、ＬＴＥ−５Ｇ  ＣＡ及びＬＴＥ−５Ｇ  ＤＣが、１つのバンド（バンド２８）に割り当てられる５つのＬＴＥ  ＣＣと、１つのバンド（バンド１）に割り当てられる５つの５Ｇ  ＣＣを含むことを示す。したがって、ＬＴＥ  ＣＡ／ＤＣ能力は１０のＬＴＥ  ＣＣを示し、５Ｇ  ＣＡ／ＤＣ能力は１０の５Ｇ  ＣＣを示し、ＬＴＥ−５Ｇ  ＣＡ／ＤＣ能力は５つのＬＴＥ  ＣＣ及び５つの５Ｇ  ＣＣを示す。要するに、ＬＴＥ  ＣＡ／ＤＣ能力はＬＴＥ  ＣＡ／ＤＣバンド組み合わせを示し、５Ｇ  ＣＡ／ＤＣ能力は５Ｇ  ＣＡ／ＤＣバンド組み合わせを示し、ＬＴＥ−５Ｇ  ＣＡ／ＤＣ能力はＬＴＥ−５Ｇ  ＣＡ／ＤＣバンド組み合わせを示す。
【００４２】
図８は、本発明の例による、プロセス８０のフローチャートである。プロセス８０は、デュアルセルラーシステムアグリゲーションを扱うために、ネットワークで利用されることができる。プロセス８０は、以下のステップを含む。
【００４３】
ステップ８００：開始する。
【００４４】
ステップ８０２：第１ＲＡＴを介してＵＥに接続する。
【００４５】
ステップ８０４：ＵＥに接続するときに、「第１ＲＡＴ−第２ＲＡＴ」結合アグリゲーション能力と、第１ＲＡＴ単独アグリゲーション能力及び第２ＲＡＴ単独アグリゲーション能力のうちの少なくとも１つとをＵＥから受信する。
【００４６】
ステップ８０６：「第１ＲＡＴ−第２ＲＡＴ」結合アグリゲーション能力に従って「第１ＲＡＴ−第２ＲＡＴ」結合アグリゲーションを構成する第２ＲＡＴ構成を送信する。
【００４７】
ステップ８０８：第２ＲＡＴ能力を送信することに応答して、第１ＲＡＴを介してＵＥに接続しつつ、第２ＲＡＴを介してＵＥに接続する。
【００４８】
ステップ８１０：第１ＲＡＴ及び第ＲＡＴの両方を介してＵＥに接続した後、第１ＲＡＴを介して第１データを、及び第２ＲＡＴを介して第２データを送信する。
【００４９】
ステップ８１２：終了する。
【００５０】
プロセス８０によれば、ネットワーク（例えば、第１ＢＳ及び第２ＢＳを含む）は、第１ＲＡＴを介してＵＥに接続する。ネットワークがＵＥに接続すると、ネットワークは、「第１ＲＡＴ−第２ＲＡＴ」結合アグリゲーション能力と、第１ＲＡＴ単独アグリゲーション能力及び第２ＲＡＴ単独アグリゲーション能力のうちの少なくとも１つとをＵＥから受信する。「第１ＲＡＴ−第２ＲＡＴ」結合アグリゲーション能力に従って、ネットワークは、「第１ＲＡＴ−第２ＲＡＴ」結合アグリゲーションを構成する第２ＲＡＴ構成をＵＥに送信する。次いで、ネットワークは、第２ＲＡＴ構成を送信することに応答して、第１ＲＡＴを介して（例えば、第１ＢＳによって）ＵＥに接続しつつ、第２ＲＡＴを介して（例えば、第２ＢＳによって）ＵＥに接続する。ネットワークは、第１ＲＡＴ及び第２ＲＡＴの両方を介してＵＥに接続した後（すなわち、接続したとき、又は接続している間に）、第１ＲＡＴを介して（例えば、第１ＢＳによって）第１データを送信し、第２ＲＡＴを介して（例えば、第２ＢＳによって）第２データを送信する。
【００５１】
一例では、第１ＢＳは、ＵＥから「第１ＲＡＴ−第２ＲＡＴ」結合アグリゲーション能力を受信する。上述したように、「第１ＲＡＴ−第２ＲＡＴ」結合アグリゲーション能力は、第１ＲＡＴ能力（例えば、「第１ＲＡＴ−第２ＲＡＴ」結合アグリゲーションにおける第１ＲＡＴの第１キャリアの第１の数）と第２ＲＡＴ能力（「第１ＲＡＴ−第２ＲＡＴ」結合アグリゲーションにおける第２ＲＡＴの第２キャリアの第２の数）を含むことができる。「第１ＲＡＴ−第２ＲＡＴ」結合アグリゲーションの準備において、第１ＢＳは、「第１ＲＡＴ−第２ＲＡＴ」結合アグリゲーション能力を第２ＢＳに転送することができる。あるいは、第１ＢＳは、第２ＲＡＴ能力を第２ＢＳに転送することができるが、第１ＲＡＴ能力を転送しない。次いで、第２ＢＳは、第２ＲＡＴ能力に従って（又は、考慮して）第２ＲＡＴ構成を生成し、第２ＲＡＴ構成を第１ＢＳに送信することができる。第１ＢＳは、第２ＲＡＴ構成を受信すると、第２ＲＡＴ構成をＵＥに送信することができる。ＵＥと第２ＢＳは、第２ＲＡＴ構成に従って互いに接続する。
【００５２】
一例では、第１ＢＳは、ＵＥが第２ＲＡＴ単独アグリゲーション能力を第２ＢＳに送信する場合、第２ＲＡＴ単独アグリゲーション能力を第２ＢＳに転送することができる。第２ＢＳは、第１ＢＳからハンドオーバーコマンドを受信したとき、第２ＲＡＴ単独アグリゲーション能力に従ってハンドオーバーコマンドを生成することができる。
【００５３】
プロセス８０の実現は、上記の説明に限定されない。ＵＥに関する前述の例は、ネットワークの対応する動作を示唆することができる。以下の例は、プロセス８０に適用されることができる。
【００５４】
一例では、第１ＢＳ及び第２ＢＳは、異なるＢＳとすることができる。一例では、ネットワークは、ＵＥから第１ＢＳを介して第３データを受信し、ＵＥから第２ＢＳを介して第４データを受信することができる。
【００５５】
ＵＥに接続する一例では、ネットワークは、第２ＲＡＴ構成を送信した後、又はＵＥが第２ＲＡＴ構成を受信したことを確認するための確認をＵＥから受信した後、第２ＲＡＴを介してＵＥに送信を行う。例えば、送信は、ランダムアクセスプリアンブルを送信するようにＵＥに要求することができる。ネットワークがランダムアクセスプリアンブル（random  access  preamble）を受信した後、ネットワークは、第２ＲＡＴを介してＵＥにタイミングアドバンス（timing  advance）を含むランダムアクセス応答を送信する。例えば、送信は、ＵＥにプロトコルデータユニット（ＰＤＵ：protocol  data  unit）を送信するように要求することができる。それゆえ、ＵＥは、送信に応答して、ＰＤＵをネットワークに送信することができる。例えば、送信は、ＵＥに時間リソース及び／又は周波数リソースを受信するように要求することができる。例えば、送信はＰＤＵを含むことができる。
【００５６】
ＵＥに接続する一例では、ネットワークは、ＵＥから第２ＲＡＴを介して送信を受信する。ＵＥは、第２ＲＡＴ構成に応答して、第２ＲＡＴを介して送信を送信することができる。例えば、送信は、ランダムアクセスプリアンブル、スケジューリング要求、又はＰＤＵを含むことができる。
【００５７】
一例では、ネットワークは、「第１ＲＡＴ−第２ＲＡＴ」結合アグリゲーション能力を受信した後（例えば、それに従って、又はそれに応答して）、第１ＲＡＴを介してＵＥに「第１ＲＡＴ−第２ＲＡＴ」結合アグリゲーションを構成（又は、再構成）するための第１測定構成を送信する。第１測定構成は、第２ＲＡＴの第１測定キャリア及び第１測定報告イベント（例えば、第２ＲＡＴ隣接セルが閾値より良くなる）を示すことができる。第１測定キャリアは、「第１ＲＡＴ−第２ＲＡＴ」結合アグリゲーション組み合わせの第２キャリアに属することができる。一例では、ネットワークは、第１測定キャリアの信号が良好であることを示す第１測定結果をＵＥから受信した後（例えば、それに従って、又はそれに応答して）、「第１ＲＡＴ−第２ＲＡＴ」結合アグリゲーションを構成する第２ＲＡＴ構成をＵＥに送信する。第２ＲＡＴ構成は、第１測定キャリア上の第２ＲＡＴ（例えば、第２ＲＡＴのセル）を介してネットワークに接続するようにＵＥを構成することができる。この場合、第１測定キャリアは第２ＲＡＴのサービングキャリアになり、セルはＵＥのための第２ＲＡＴのサービングセルになる。第１測定報告イベントが発生したことをＵＥが検出すると、ＵＥは、第１ＲＡＴを介してネットワークに第１測定結果を送信することができる。
【００５８】
一例では、ネットワークは、「第１ＲＡＴ−第２ＲＡＴ」結合アグリゲーションをＵＥに構成するための第２測定構成をＵＥに送信する。第２測定構成は、第２ＲＡＴの第２測定キャリア及び第２測定報告イベント（例えば、第２ＲＡＴの隣接セルが第２ＲＡＴのサービングセルよりも良好にオフセットされる、又は隣接セルが第２ＲＡＴのサービングキャリアよりも良好にオフセットした）を示すことができる。ＵＥは、第２測定報告イベントが発生したことを検出すると、第１ＲＡＴ又は第２ＲＡＴを介してネットワークに第２測定報告結果を送信することができる。ネットワークは、第１ＲＡＴに接続しつつ、第２ＲＡＴの隣接セルを接続するためにＵＥを構成する第３ＲＡＴ構成を送信することができる（すなわち、隣接セルがＵＥための新しいサービングセルになる）。第３ＲＡＴ構成は、第２ＲＡＴのサービングセルを解放するようにＵＥを構成することができる。
【００５９】
当業者であれば、上述の説明及び例の組み合わせ、修正及び／又は変更を容易になすことができるはずである。上記の説明、ステップ及び／又は提案したステップを含むプロセスは、ハードウェア、ソフトウェア、ファームウェア（ハードウェア装置とコンピュータ命令との組み合わせで、ハードウェア装置上に読み取り専用ソフトウェアとして存在するデータとして知られる）、電子システム又はそれらの組み合わせとし得る手段によって実現されることができる。手段の例は、通信装置２０とすることができる。上記のプロセス及び例のいずれも、プログラムコード２１４にコンパイルされることができる。
【００６０】
要約すると、本発明は、デュアルセルラーシステムアグリゲーションを扱うための装置及び方法を提供する。本発明によれば、ＵＥ及び／又はネットワークは、デュアルセルラーシステムアグリゲーションの正確な結合能力を得ることができる。このように、当該技術分野の問題は解決される。
【００６１】
当業者であれば、本装置及び本方法の多様な修正及び変更が発明の教示を保持しながらなされ得ることに容易に気づくだろう。したがって、上記の開示は、添付の特許請求の範囲の境界によってのみ制限されるものとして解釈されるべきである。
【図１】
0006503416.tif 000002
【図２】
0006503416.tif 000003
【図３】
0006503416.tif 000004
【図４】
0006503416.tif 000005
【図５】
0006503416.tif 000006
【図６】
0006503416.tif 000007
【図７】
0006503416.tif 000008
【図８】
0006503416.tif 000009